(57)【特許請求の範囲】
【請求項１】
変圧器本体が保護用ケース内に収納された乾式変圧器装置であって、
上記保護用ケースが、
複数の部材が平面的に結合され該保護用ケースの水平状の天井部を形成する天井部材と、
該保護用ケースの内部において上記天井部材に取付けられ、上記複数の部材の結合部から上記変圧器本体側に向かって落下する水を集め該保護用ケースの外部に導く溝を形成する溝用部材であって、上記結合部の下方に配され、底面が、該結合部に対向した第１の溝を形成する第１の溝用部材と、該第１の溝用部材の上記第１の溝に交差して結合され、底面が、該第１の溝の底面よりも低位置とされかつ該保護用ケースの外部側に向かって下方に傾斜した第２の溝を形成する第２の溝用部材とを有して成り、上記第１の溝の底面が上記第２の溝側に向かって下方に傾斜した構成の溝用部材と、
を備え、上記天井部材の上記結合部から落下する水を、上記第１の溝用部材と上記第２の溝用部材とにより保護用ケースの外部に導く構成であることを特徴とする乾式変圧器装置。
【請求項２】
上記天井部材は、上記複数の部材が複数の結合部を有して結合され、
上記溝用部材は、上記第１の溝用部材が上記複数の結合部それぞれの下方に配された構成である請求項１に記載の乾式変圧器装置。
【請求項３】
上記天井部材は、上記複数の部材が、互いに平行にされた第１の結合部と、該第１の結合部に交差する第２の結合部とにより結合され、
上記溝用部材は、上記第１の溝用部材が上記第１の結合部の下方に配され、上記第２の溝用部材が上記第２の結合部の下方に配された構成である請求項１または請求項２に記載の乾式変圧器装置。
【請求項４】
上記天井部材は、上記複数の部材の上記結合部にシール用部材が設けられた構成である請求項１または請求項２に記載の乾式変圧器装置。
【請求項５】
上記溝用部材は、上記第１の溝用部材が、第２の溝用部材の両側に結合された構成である請求項１から４のいずれかに記載の乾式変圧器装置。
【発明の詳細な説明】
【技術分野】
【０００１】
本発明は、変圧器本体が保護用ケース内に収納された乾式変圧器装置に係り、特に、複数の部材が平面的に結合されて成る天井部材を備えた保護用ケースの構成に関する。
【背景技術】
【０００２】
従来、乾式変圧器装置においては、変圧器本体が収納される保護用ケースは、ほとんどの場合、装置が設置される現地で組み立てられる。このため、保護用ケースは、少なくとも天井部材が、輸送や組立て作業などをし易いように、複数の部材に分割されている場合が多い。図８は、従来の乾式変圧器装置１'の構成例であり、（ａ）はその上面図、（ｂ）は正面図である。図８において、乾式変圧器装置１'は、変圧器本体３０'が収納される保護用ケース１０'は、天井部を構成する天井部材１１'が、３個の平板状の天井部材１１ａ'、１１ｂ'、１１ｃ'の平面的に結合により構成されている。天井部材１１ａ'、１１ｂ'間は、結合部材１１１ａ'、１１１ｂ'を介して結合され、天井部材１１ｂ'、１１ｃ'間は、結合部材１１１ｃ'、１１１ｄ'を介して結合されている。天井部材１１ａ'、１１ｂ'間の結合部には、結合部材１１１ａ'、１１１ｂ'の合せ目２００ａ'が形成され、天井部材１１ｂ'、１１ｃ'間の結合部には、結合部材１１１ｃ'、１１１ｄ'の合せ目２００ｂ'が形成されている。なお、３０１ａ'、３０１ｂ'、３０１ｃ'は、変圧器本体３０'のコイル部、３０２'は、変圧器本体３０'のヨーク部である。図９は、乾式変圧器装置１'における保護用ケース１０'の天井部の天井部材１１ｂ'、１１ｃ'間の結合部のｃ'−ｃ'断面の構成を示す図である。結合部材１１１ｃ'は、ボルト５００ｂ'、ナット５０１ｂ'により天井部材１１ｂ'に固定され、結合部材１１１ｄ'は、ボルト５００ｃ'、ナット５０１ｃ'により天井部材１１ｃ'に固定され、さらに、該結合部材１１１ｃ'と該結合部材１１１ｄ'は互いに、ボルト５００ｄ'、ナット５０１ｄ'により固定されている。合せ目２００ｂ'は、該結合部材１１１ｃ'と該結合部材１１１ｄ'との間に±Ｚ軸方向に形成されている。天井部材１１ａ'、１１ｂ'間の結合部の断面構成もこれと同様である。かかる構成の乾式変圧器装置１'は、建物内において地下室などに空調用ダクト等といっしょに設置される場合が多い。
【０００３】
また、本発明に関連した従来技術で、特許文献に記載されたものとしては、例えば、特開平１０−３１３５１１号公報（特許文献１）や特開２００３−１６４０２０号公報（特許文献２）に記載された技術がある。特開平１０−３１３５１１号公報には、高圧受電設備において、各機能別ユニット１０１〜１０４の連結部１１５に雨水排水用溝１１７を設けるとした構成が記載され（段落００３９、図８）、特開２００３−１６４０２０号公報には、屋外用閉鎖型変圧器盤において、本体ケース１０内に収納された変圧器９の上方に取付金具１２を介して吊下げ金具１３を固定し、該吊下げ金具１３の下部に屋根板１７を固定し、さらに該屋根板１７の内面側に、断面コ字状のレール板２０を、その開口側を上に向けて傾斜状態で取付け、吊下げ金具１３の取付部から雨水などが侵入した場合にも、該雨水を該レール板２０で受けて本体ケース１０の内側面に流下させ、変圧器９に対して直接に流れ落ちないようにするとした構成が記載されている（段落００３２〜００３５、図５、図６）。
【０００４】
【特許文献１】特開平１０−３１３５１１号公報
【特許文献２】特開２００３−１６４０２０号公報
【発明の開示】
【発明が解決しようとする課題】
【０００５】
上記従来の乾式変圧器装置１'では、保護用ケース１０'の天井部材１１'上に水が落ちてきたり溜まったりした場合には、該水が、天井部材１１ａ'、１１ｂ'間の結合部における結合部材１１１ａ'、１１１ｂ'の合せ目２００ａ'や、天井部材１１ｂ'、１１ｃ'間の結合部における結合部材１１１ｃ'、１１１ｄ'の合せ目２００ｂ'を通って、保護用ケース１０'内に侵入し、図９に示すように、水滴７００として変圧器本体３０'上に落下する。該落下した水は、変圧器本体３０'のコイル部３０１ａ'、３０１ｂ'、３０１ｃ'やヨーク部３０２'に流れ込んで、コイルの絶縁劣化や各部の腐食等の原因になる。また、保護用ケース１０'内で結露してできた水が、結合部材１１１ａ'、１１１ｂ'の下端部や、結合部材１１１ｃ'、１１１ｄ'の下端部から、水滴７００として変圧器本体３０'上に落下する場合なども同様である。
【０００６】
また、特開平１０−３１３５１１号公報記載の技術は、高圧受電設備の各機能別ユニット１０１〜１０４の連結部１１５に雨水排水用溝１１７を設けるとしたものであり、機能別ユニット内で、その天井部から内部の変圧器等に直接落下してくる水を排除する技術ではないし、特開２００３−１６４０２０号公報記載の技術は、屋外用閉鎖型変圧器盤において、吊下げ金具１３の取付部から侵入した雨水などが変圧器９に直接に流れ落ちないようにするためのものであり、保護用ケースの複数の天井部材の結合部から落下する水が変圧器本体上に落下するのを防ぐための技術ではない。
【０００７】
本発明の課題点は、上記従来技術の状況に鑑み、乾式変圧器装置において、保護用ケースの天井部の複数の天井部材の結合部から該保護用ケース内に侵入した水や、該保護用ケース内で結露などにより発生した水が、該ケース内の変圧器本体の上に落下しないようにすることである。
本発明の目的は、上記課題点を解決し、コイルの絶縁劣化や各部の腐食等を改善した乾式変圧器装置を提供することにある。
【課題を解決するための手段】
【０００８】
上記課題点を解決するために、本発明では、乾式変圧器装置として、保護用ケースを、複数の部材が平面的に結合され該保護用ケースの天井部を形成する天井部材と、該保護用ケースの内部において該天井部材に取付けられ、該複数の部材の結合部から落下する水を集め該保護用ケースの外部に導く溝を形成する溝用部材とを備えた構成とする。そして、上記溝用部材としては、上記保護用ケース内において上記結合部の下方に配され、底面が、該結合部に対向した第１の溝を形成する第１の溝用部材と、該保護用ケース内において該第１の溝用部材の上記第１の溝に交差して結合され、底面が、該第１の溝の底面よりも低位置とされかつ該保護用ケースの外部側に向かって下方に傾斜した第２の溝を形成する第２の溝用部材とを有して成り、上記第１の溝の底面が上記第２の溝側に向かって下方に傾斜した構成とする。
【発明の効果】
【０００９】
本発明によれば、乾式変圧器装置において、保護用ケースの複数の天井部材の結合部から該保護用ケース内に侵入した水が変圧器本体の上に落下しないようにすることができ、変圧器本体のコイルの絶縁劣化や各部の腐食の進行などを抑えて装置の信頼性を向上させることが可能となる。
【発明を実施するための最良の形態】
【００１０】
以下、本発明の実施例につき、図面を用いて説明する。
図１〜図４は、本発明の第１の実施例としての乾式変圧器装置の構成図である。図１は乾式変圧器装置の構成図、図２は、図１の乾式変圧器装置における保護用ケースの天井部の結合部及び第１の溝用部材の断面を示す図、図３は、図１の乾式変圧器装置における保護用ケースの第２の溝用部材の断面を示す図、図４は、図１の乾式変圧器装置における保護用ケースの天井部の結合部の他の構成例を示す図である。本第１の実施例は、保護用ケースの天井部を、３個の天井部材を平面的に結合して構成した場合の例である。
【００１１】
図１において、（ａ）は、第１の実施例としての乾式変圧器装置の上面図、（ｂ）は、同じく正面図、（ｃ）は、同じく側面図である。図中、１Ａは乾式変圧器装置、３０は変圧器本体、１０Ａは、変圧器本体３０を収納して保護する保護用ケース、１１Ａは、保護用ケース１０Ａの天井部に設けられる天井部材、１１ａ、１１ｂ、１１ｃは、互いに平面的に結合されて1個の天井部材１１Ａを構成する３個の平板状の天井部材、１２ａ、１２ｂは、保護用ケース１０Ａの側面を構成する側面部材、２１ａ１、２１ｂ１、２１ｃ１、２１ｄ１、２２は、保護用ケース１０Ａの内部において天井部材１１Ａに取付けられ、変圧器本体側に落下する水を集めて保護用ケース１０Ａの外部に導くための溝を形成する溝用部材、１１１ａ１、１１１ｂ１は、天井部材１１ａ、１１ｂ間を結合する結合部材、１１１ｃ１、１１１ｄ１は、天井部材１１ｂ、１１ｃ間を結合する結合部材、２００ａ１は、結合部材１１１ａ１と結合部材１１１ｂ１との合せ目、２００ｂ１は、結合部材１１１ｃ１と結合部材１１１ｄ１との合せ目、３０１ａ、３０１ｂ、３０１ｃは、変圧器本体３０のコイル部、３０２は、変圧器本体３０のヨーク部である。結合部材１１１ａ１、１１１ｂ１は、合せ目２００ａ１を含む該合せ目２００ａ１の周辺領域に天井部材１１ａ、１１ｂの結合部を形成し、結合部材１１１ｃ１、１１１ｄ１は、合せ目２００ｂ１を含む該合せ目２００ｂ１の周辺領域に天井部材１１ｂ、１１ｃの結合部を形成する。溝用部材２１ａ１、２１ｂ１は、保護用ケース１０Ａ内において結合部材１１１ａ１、１１１ｂ１を介して天井部材１１ａ、１１ｂに取付けられ、該天井部材１１ａ、１１ｂの結合部の下方すなわち合せ目２００ａ１を含む該合せ目２００ａ１の周辺領域の下方に配され、その底面を該結合部に対向させた第１の溝を形成する第１の溝用部材、溝用部材２１ｃ１、２１ｄ１は、保護用ケース１０Ａ内において結合部材１１１ｃ１、１１１ｄ１を介して天井部材１１ｂ、１１ｃに取付けられ、該天井部材１１ｂ、１１ｃの結合部の下方すなわち合せ目２００ｂ１を含む該合せ目２００ｂ１の周辺領域の下方に配され、その底面を該結合部に対向させた第１の溝を形成する第１の溝用部材、２２は、保護用ケース１０Ａ内において上記第１の溝用部材２１ａ１、２１ｂ１、２１ｃ１、２１ｄ１それぞれが形成している第１の溝が直角に交差して結合され、底面が、該第１の溝の底面よりも低位置（−Ｚ軸方向位置）に形成されかつ保護用ケース１０ＡのＹ軸方向の外部側に向かって下方（−Ｚ軸方向）に傾斜した構成の第２の溝を形成する第２の溝用部材である。２２ｆは、保護用ケース１０Ａの外部に突出した第２の溝用部材２２の突出部である。第１の溝用部材２１ａ１、２１ｂ１、２１ｃ１、２１ｄ１は、第２の溝用部材２２の両側に分けて配されている。すなわち、第１の溝用部材２１ａ１、２１ｃ１は第２の溝用部材２２に対して−Ｘ軸方向側に、第１の溝用部材２１ｂ１、２１ｄ１は第２の溝用部材２２に対してＸ軸方向側に配され、４個の第１の溝用部材２１ａ１、２１ｂ１、２１ｃ１、２１ｄ１における第１の溝が、１個の第２の溝用部材２２における第２の溝の両側において結合された構成である。第１の溝用��材２１ａ１、２１ｃ１は、それぞれの底面がＸ軸方向に向かって下方（−Ｚ軸方向）に傾斜し、第２の溝用部材２２との結合位置において底面のＺ軸方向高さが最も低くされ、第１の溝用部材２１ｂ１、２１ｄ１は、それぞれの底面が−Ｘ軸方向に向かって下方（−Ｚ軸方向）に傾斜し、第２の溝用部材２２との結合位置において底面のＺ軸方向高さが最も低くされている。傾斜した第２の溝用部材２２の底面は、これら第１の溝用部材２１ａ１、２１ｃ１、２１ｂ１、２１ｄ１の、第２の溝用部材２２との結合位置における底面のＺ軸方向位置よりも低位置に形成されている。
【００１２】
かかる図１の構成において、天井部材１１ａ、１１ｂの結合部である結合部材１１１ａ１、１１１ｂ１の合せ目２００ａ１から保護用ケース１０Ａ内に水が浸入した場合、該水は、該合せ目２００ａ１の下端すなわち結合部材１１１ａ１、１１１ｂ１の下端からから下方に落下する。該落下した水は、第１の溝用部材２１ａ１、２１ｂ１の溝（第１の溝）内に落下し、該溝中を流れて第２の溝用部材２２の溝（第２の溝）に流れ込む。該第２の溝用部材２２に流れ込んだ水は、該溝中をＹ軸方向に流れ、保護用ケース１０Ａの外部に導かれて、突出部２２ｆから流れ出る。同様に、天井部材１１ｂ、１１ｃの結合部である結合部材１１１ｃ１、１１１ｄ１の合せ目２００ｂ１から、保護用ケース１０Ａ内に水が浸入した場合、該水は、結合部材１１１ｃ１、１１１ｄ１の下端から下方（−Ｚ軸方向）に落下する。該落下した水は、第１の溝用部材２１ｃ１、２１ｄ１の溝（第１の溝）内に落下し、該溝中を流れて第２の溝用部材２２内に流れ込む。該第２の溝用部材２２に流れ込んだ水は、該溝中をＹ軸方向に流れ、保護用ケース１０Ａの外部に導かれて、突出部２２ｆから流れ出る。合せ目２００ａ１や合せ目２００ｂ１以外の部分から保護用ケース１０Ａ内に侵入した水や、保護用ケース１０Ａ内での結露によってできた水のうち、結合部材１１１ａ１、１１１ｂ１の下端や、結合部材１１１ｃ１、１１１ｄ１の下端から下方（−Ｚ軸方向）に落下する水についても同様である。
以下、説明中で用いる図１の構成要素には、図１の場合と同じ符号を付して用いる。
【００１３】
図２は、図１の乾式変圧器装置１Ａにおける保護用ケース１０Ａの天井部の結合部及び第１の溝用部材２１ｄ１のｃ１−ｃ１断面すなわちＡ部（図１）の構成を示す図である。
図２において、１１２ａ１、１１２ｂ１は、第１の溝用部材２１ｄ１を天井部材１１ｂ、１１ｃに結合するための結合部材、５００ａ〜５００ｅはボルト、５０１ｂ、５０１ｃ、５０１ｄはナット、ｂ１は、第１の溝用部材２１ｄ１の底面、ｂ２は、第２の溝用部材２２の底面である。結合部材１１１ｃ１は、ボルト５００ｂとナット５０１ｂによって天井部材１１ｂに固定され、結合部材１１１ｄ１は、ボルト５００ｃとナット５０１ｃによって天井部材１１ｃに固定され、結合部材１１１ｃ１と結合部材１１１ｄ１は、ボルト５００ｄとナット５０１ｄによって互いに固定され、合せ目２００ａ１を形成している。また、結合部材１１２ａ１は天井部材１１ｂに、結合部材１１２ｂ１は天井部材１１ｃに、それぞれ溶接によって固定され、該結合部材１１２ａ１と該結合部材１１２ｂ１には、第１の溝用部材２１ｄ１がボルト５００ａ、５００ｅによって固定されている。第１の溝用部材２１ｄ１と第２の溝用部材２２との結合位置において、第２の溝用部材２２の底面ｂ２は、第１の溝用部材２１ｄ１の底面ｂ１のＺ軸方向位置よりも距離ｈ１だけ低い位置に形成されている。これによって、合せ目２００ｂ１等から侵入し結合部材１１１ｃ１、１１１ｄ１の下端から下方に落下した水を、第１の溝用部材２１ｄ１の溝（第１の溝）で受け、該溝中を流して第２の溝用部材２２の溝（第２の溝）内に流れ込ませ、さらに、該溝中を流して、保護用ケース１０Ａの外部に導くことができる。他の第１の溝用部材２１ａ１、２１ｂ１、２１ｃ１についても同様である。
【００１４】
図３は、図１の乾式変圧器装置１Ａにおける保護用ケース１０Ａの第２の溝用部材２２のｃ２−ｃ２断面すなわちＢ部（図１）の構成を示す図である。
図３において、１１３ａ１、１１３ｂ１は、第２の溝用部材２２を天井部材１１ｃに結合するための結合部材、５００ｆ、５００ｇは、第２の溝用部材２２を結合部材１１３ａ１、１１３ｂ１に固定するためのボルト、ｂ１は、第１の溝用部材２１ｃ１、２１ｄ１の底面、ｂ２は、第２の溝用部材２２の底面である。結合部材１１３ａ１、１１３ｂ１はそれぞれ、溶接によって天井部材１１ｃに固定されている。第１の溝用部材２１ｃ１、２１ｄ１と第２の溝用部材２２との結合位置において、第２の溝用部材２２の底面ｂ２は、第１の溝用部材２１ｃ１、２１ｄ１の底面ｂ１のＺ軸方向位置よりも距離ｈ１だけ低い位置に形成されている。
【００１５】
図４は、図１の乾式変圧器装置１Ａにおける保護用ケース１０Ａの天井部の結合部の他の構成例を示す図である。図２の場合の構成に比べて、結合部材１１１ｃ１が、ボルト５００ｂとナット５０１ｂによって天井部材１１ｂに固定されている部分と、結合部材１１１ｄ１が、ボルト５００ｃとナット５０１ｃによって天井部材１１ｃに固定されている部分と、天井部材１１ｂ、１１ｃの結合部である結合部材１１１ｃ１、１１１ｄ１の合せ目２００ｂ１の上下両部とに、保護用ケース１０Ａの内部への水の浸入を防ぐために、それぞれ、シール用部材６００ｂ、６００ｃ、６００ａ、６００ｄを設けている点が異なる。かかる構成において、保護用ケース１０Ａ内に侵入したりまたは保護用ケース１０Ａ内で結露したりして結合部材１１１ｃ１、１１１ｄ１の下端から下方に落下する水は、第１の溝用部材２１ｄ１の第１の溝内に落下する。落下した水は、該第１の溝内を流れて、第２の溝用部材２２の第２の溝に流れ込み、該第２の溝中を流れて保護用ケース１０Ａ外に出る。
【００１６】
上記第１の実施例の乾式変圧器装置１Ａによれば、結合部材１１１ａ１、１１１ｂ１の下端や、結合部材１１１ｃ１、１１１ｄ１の下端から下方に落下する水を、第１の溝用部材２１ａ１、２１ｃ１、２１ｂ１、２１ｄ１により集め、第２の溝用部材２２により保護用ケース１０Ａ外に出すことができるため、変圧器本体３０にこれらの水がかかることが阻止され、変圧器本体３０のコイル３０１ａ、３０１ｂ、３０１ｃの絶縁劣化や各部の腐食等による劣化などを改善することが可能となり、乾式変圧器装置１Ａの信頼性向上を図ることができる。
【００１７】
図５〜図７は、本発明の第２の実施例としての乾式変圧器装置の構成図である。図５は乾式変圧器装置の構成図、図６は、図５の乾式変圧器装置における保護用ケースの天井部の結合部及び第１の溝用部材の断面を示す図、図７は、図５の乾式変圧器装置における保護用ケースの第２の溝用部材の断面を示す図である。本第２の実施例は、保護用ケースの天井部を、６個の天井部材を平面的に結合して構成した場合の例である。
【００１８】
図５において、（ａ）は、第２の実施例としての乾式変圧器装置の上面図、（ｂ）は、同じく正面図、（ｃ）は、同じく側面図である。図中、１Ｂは乾式変圧器装置、３０は変圧器本体、１０Ｂは、変圧器本体３０を収納して保護する保護用ケース、１１Ｂは、保護用ケース１０Ｂの天井部に設けられる天井部材、１１ａ１、１１ａ２、１１ｂ１、１１ｂ２、１１ｃ１、１１ｃ２は、互いに平面的に結合されて1個の天井部材１１Ｂを構成する６個の平板状の天井部材、１２ａ、１２ｂは、保護用ケース１０Ｂの側面を構成する側面部材、２１ａ２、２１ｂ２、２１ｃ２、２１ｄ２、２３は、保護用ケース１０Ｂの内部において天井部材１１Ｂに取付けられ、変圧器本体側に落下する水を集めて保護用ケース１０Ｂの外部に導くための溝を形成する溝用部材、１１１ａ２、１１１ｂ２は、天井部材１１ａ１、１１ｂ１間及び天井部材１１ａ２、１１ｂ２間を結合する結合部材、１１１ｃ２、１１１ｄ２は、天井部材１１ｂ１、１１ｃ１間及び天井部材１１ｂ２、１１ｃ２間を結合する結合部材、２００ａ２は、結合部材１１１ａ１と結合部材１１１ｂ１との合せ目、２００ｂ２は、結合部材１１１ｃ２と結合部材１１１ｄ２との合せ目、２００ｃ２は、結合部材１１１ｅ２と結合部材１１１ｆ２との合せ目、３０１ａ、３０１ｂ、３０１ｃは、変圧器本体３０のコイル部、３０２は、変圧器本体３０のヨーク部である。結合部材１１１ａ２、１１１ｂ２は、合せ目２００ａ２を含む該合せ目２００ａ２の周辺領域に、天井部材１１ａ１、１１ｂ１の結合部及び天井部材１１ａ２、１１ｂ２の結合部を形成し、結合部材１１１ｃ２、１１１ｄ２は、合せ目２００ｂ２を含む該合せ目２００ｂ２の周辺領域に、天井部材１１ｂ１、１１ｃ１の結合部及び天井部材１１ｂ２、１１ｃ２の結合部を形成し、結合部材１１１ｅ２、１１１ｆ２は、合せ目２００ｃ２を含む該合せ目２００ｃ２の周辺領域に、天井部材１１ａ１、１１ａ２の結合部、天井部材１１ｂ１、１１ｂ２の結合部及び天井部材１１ｃ１、１１ｃ２の結合部を形成する。溝用部材２１ａ２は、保護用ケース１０Ｂ内において結合部材１１１ａ２、１１１ｂ２を介して天井部材１１ａ１、１１ｂ１に取付けられ、該天井部材１１ａ１、１１ｂ１の結合部の下方すなわち合せ目２００ａ２を含む該合せ目２００ａ２の周辺領域の下方に配され、その底面を該結合部に対向させた第１の溝を形成する第１の溝用部材、溝用部材２１ｂ２は、保護用ケース１０Ｂ内において結合部材１１１ａ２、１１１ｂ２を介して天井部材１１ａ２、１１ｂ２に取付けられ、該天井部材１１ａ２、１１ｂ２の結合部の下方すなわち合せ目２００ａ２を含む該合せ目２００ａ２の周辺領域の下方に配され、その底面を該結合部に対向させた第１の溝を形成する第１の溝用部材、溝用部材２１ｃ２は、保護用ケース１０Ｂ内において結合部材１１１ｃ２、１１１ｄ２を介して天井部材１１ｂ１、１１ｃ１に取付けられ、該天井部材１１ｂ１、１１ｃ１の結合部の下方すなわち合せ目２００ｂ２を含む該合せ目２００ｂ２の周辺領域の下方に配され、その底面を該結合部に対向させた第１の溝を形成する第１の溝用部材、溝用部材２１ｄ２は、保護用ケース１０Ｂ内において結合部材１１１ｃ２、１１１ｄ２��介して天井部材１１ｂ２、１１ｃ２に取付けられ、該天井部材１１ｂ２、１１ｃ２の結合部の下方すなわち合せ目２００ｂ２を含む該合せ目２００ｂ２の周辺領域の下方に配され、その底面を該結合部に対向させた第１の溝を形成する第１の溝用部材、２３は、保護用ケース１０Ｂ内において上記第１の溝用部材２１ａ２、２１ｂ２、２１ｃ２、２１ｄ２それぞれが形成している第１の溝が直角に交差して結合され、底面が、該第１の溝の底面よりも低位置（−Ｚ軸方向位置）に形成されかつ保護用ケース１０ＢのＹ軸方向の外部側に向かって下方（−Ｚ軸方向）に傾斜した構成の第２の溝を形成する第２の溝用部材である。２３ｆは、保護用ケース１０Ｂの外部に突出した第２の溝用部材２２の突出部である。該第２の溝用部材２３は、保護用ケース１０Ｂ内において結合部材１１１ｅ２、１１１ｆ２を介して天井部材１１ａ１、１１ａ２、１１ｂ１、１１ｂ２、１１ｃ１、１１ｃ２に取付けられ、該天井部材１１ａ１、１１ａ２、１１ｂ１、１１ｂ２、１１ｃ１、１１ｃ２の結合部の下方すなわち合せ目２００ｃ２を含む該合せ目２００ｃ２の周辺領域の下方に配され、その底面を該結合部に対向させた第２の溝を形成する。４個の第１の溝用部材２１ａ２、２１ｂ２、２１ｃ２、２１ｄ２は、１個の第２の溝用部材２３の両側に分けられ該第２の溝用部材２３に直交して結合するようにされている。すなわち、第１の溝用部材２１ａ２、２１ｃ２は第２の溝用部材２３に対して−Ｘ軸方向側に、第１の溝用部材２１ｂ２、２１ｄ２は第２の溝用部材２３に対してＸ軸方向側に配され、４個の第１の溝用部材２１ａ２、２１ｂ２、２１ｃ２、２１ｄ２それぞれにおける第１の溝が、１個の第２の溝用部材２３における第２の溝の両側において該第２の溝に直交して結合された構成である。第１の溝用部材２１ａ２、２１ｃ２は、それぞれの底面がＸ軸方向に向かって下方（−Ｚ軸方向）に傾斜し、第２の溝用部材２３との結合位置において底面のＺ軸方向高さが最も低くされ、第１の溝用部材２１ｂ２、２１ｄ２は、それぞれの底面が−Ｘ軸方向に向かって下方（−Ｚ軸方向）に傾斜し、第２の溝用部材２２との結合位置において底面のＺ軸方向高さが最も低くされている。傾斜した第２の溝用部材２３の底面は、これら第１の溝用部材２１ａ２、２１ｃ２、２１ｂ２、２１ｄ２の、第２の溝用部材２３との結合位置における底面のＺ軸方向位置よりも低位置に形成されている。
【００１９】
かかる図５の構成において、天井部材１１ａ１、１１ｂ１の結合部及び天井部材１１ａ２、１１ｂ２の結合部である結合部材１１１ａ２、１１１ｂ２の合せ目２００ａ２から、保護用ケース１０Ｂ内に水が浸入した場合、該水は、該合せ目２００ａ２の下端すなわち結合部材１１１ａ２、１１１ｂ２の下端から下方（−Ｚ軸方向）に落下する。該落下した水は、第１の溝用部材２１ａ２、２１ｂ２の溝（第１の溝）内に落下し、該溝中を流れて第２の溝用部材２３の溝（第２の溝）に流れ込む。該第２の溝用部材２３に流れ込んだ水は、該溝中をＹ軸方向に流れ、保護用ケース１０Ｂの外部に導かれ、突出部２３ｆから流れ出る。同様に、天井部材１１ｂ１、１１ｃ１の結合部及び天井部材１１ｂ２、１１ｃ２の結合部である結合部材１１１ｃ２、１１１ｄ２の合せ目２００ｂ２から、保護用ケース１０Ｂ内に水が浸入した場合、該水は、該合せ目２００ｂ２の下端すなわち結合部材１１１ｃ２、１１１ｄ２の下端から下方（−Ｚ軸方向）に落下する。該落下した水は、第１の溝用部材２１ｃ２、２１ｄ２の溝（第１の溝）内に落下し、該溝中を流れて第２の溝用部材２３の溝（第２の溝）に流れ込む。該第２の溝用部材２３に流れ込んだ水は、該溝中をＹ軸方向に流れ、保護用ケース１０Ｂの外部に導かれ、突出部２３ｆから流れ出る。天井部材１１ａ１、１１ａ２の結合部、天井部材１１ｂ１、１１ｂ２の結合部及び天井部材１１ｃ１、１１ｃ２の結合部である結合部材１１１ｅ２、１１１ｆ２の合せ目２００ｃ２から、保護用ケース１０Ｂ内に水が浸入した場合は、該水は、該合せ目２００ｃ２の下端すなわち結合部材１１１ｅ２、１１１ｆ２の下端からから下方（−Ｚ軸方向）に落下する。該落下した水は、第２の溝用部材２３の溝（第２の溝）中に落下する。該第２の溝用部材２３に落下した水は、上記第１の溝用部材２１ａ２、２１ｂ２、２１ｃ２、２１ｄ２から流れ込んだ水とともに該溝中をＹ軸方向に流れ、保護用ケース１０Ｂの外部に導かれ、突出部２３ｆから流れ出る。合せ目２００ａ２や合せ目２００ｂ２や合せ目２００ｃ２以外の部分から保護用ケース１０Ｂ内に侵入した水や、保護用ケース１０Ｂ内での結露によってできた水のうち、結合部材１１１ａ２、１１１ｂ２の下端や、結合部材１１１ｃ２、１１１ｄ２の下端や、結合部材１１１ｅ２、１１１ｆ２の下端から下方（−Ｚ軸方向）に落下する水についても同様である。
以下、説明中で用いる図５の構成要素には、図５の場合と同じ符号を付して用いる。
【００２０】
図６は、図５の乾式変圧器装置１Ｂにおける保護用ケース１０Ｂの天井部の結合部及び第１の溝用部材２１ｄ２のｃ３−ｃ３断面すなわちＣ部（図５）の構成を示す図である。
図６において、１１２ａ２、１１２ｂ２は、第１の溝用部材２１ｄ２を天井部材１１ｂ２、１１ｃ２に結合するための結合部材、５００ａ〜５００ｅはボルト、５０１ｂ、５０１ｃ、５０１ｄはナット、ｂ３は、第１の溝用部材２１ｄ２の底面、ｂ４は、第２の溝用部材２３の底面である。結合部材１１１ｃ２は、ボルト５００ｂとナット５０１ｂによって天井部材１１ｂ２に固定され、結合部材１１１ｄ２は、ボルト５００ｃとナット５０１ｃによって天井部材１１ｃ２に固定され、結合部材１１１ｃ２と結合部材１１１ｄ２は、ボルト５００ｄとナット５０１ｄによって互いに固定され、合せ目２００ｂ２を形成している。また、結合部材１１２ａ２は天井部材１１ｂ２に、結合部材１１２ｂ２は天井部材１１ｃ２に、それぞれ溶接によって固定され、該結合部材１１２ａ２と該結合部材１１２ｂ２には、第２の溝用部材２３がボルト５００ａ、５００ｅによって固定されている。第１の溝用部材２１ｄ２と第２の溝用部材２３との結合位置において、第２の溝用部材２３の底面ｂ４は、第１の溝用部材２１ｄ２の底面ｂ３のＺ軸方向位置よりも距離ｈ２だけ低い位置に形成されている。これによって、合せ目２００ｂ２等から保護用ケース１０Ｂ内に侵入し結合部材１１１ｃ２、１１１ｄ２の下端から下方に落下した水を、第１の溝用部材２１ｄ２の溝（第１の溝）で受け、該溝中を流して第２の溝用部材２３の溝（第２の溝）内に流れ込ませ、さらに、該溝中を流して、保護用ケース１０Ｂの外部に導くことができる。他の第１の溝用部材２１ａ２、２１ｂ２、２１ｃ２の場合も同様である。
【００２１】
図７は、図５の乾式変圧器装置１Ｂにおける保護用ケース１０Ｂの第２の溝用部材２３のｃ４−ｃ４断面すなわちＤ部（図５）の構成を示す図である。
図７において、１１３ａ２、１１３ｂ２は、第２の溝用部材２３を天井部材１１ｃ２、１１ｃ１に結合するための結合部材、５００ｆ、５００ｇは、第２の溝用部材２３を結合部材１１３ａ２、１１３ｂ２に固定するためのボルト、ｂ３は、第１の溝用部材２１ｄ２、２１ｃ２の底面、ｂ４は、第２の溝用部材２３の底面である。結合部材１１３ａ２、１１３ｂ２はそれぞれ、溶接によって天井部材１１ｃ２、１１ｃ１に固定されている。第１の溝用部材２１ｄ２、２１ｃ２と第２の溝用部材２３との結合位置において、第２の溝用部材２３の底面ｂ４は、第１の溝用部材２１ｄ２、２１ｃ２の底面ｂ３のＺ軸方向位置よりも距離ｈ２だけ低い位置に形成されている。これによって、合せ目２００ｃ２等から保護用ケース１０Ｂ内に侵入し結合部材１１１ｆ２、１１１ｅ２の下端から下方に落下した水を、第２の溝用部材２３の溝（第２の溝）で受け、該溝中を流して保護用ケース１０Ｂの外部に導くことができる。
【００２２】
上記第２の実施例の乾式変圧器装置１Ｂによれば、結合部材１１１ａ２、１１１ｂ２の下端や、結合部材１１１ｃ２、１１１ｄ２の下端から下方に落下する水を、第１の溝用部材２１ａ２、２１ｂ２、２１ｃ２、２１ｄ２により集め、第２の溝用部材２３により保護用ケース１０Ｂ外に出すことができるし、また、結合部材１１１ｅ２、１１１ｆ２の下端から下方に落下する水を、第２の溝用部材２３により集めて保護用ケース１０Ｂ外に排出することができる。このため、変圧器本体３０にこれらの水がかかることが阻止され、変圧器本体３０のコイル３０１ａ、３０１ｂ、３０１ｃの絶縁劣化や各部の腐食等による劣化などを改善することが可能となり、乾式変圧器装置１Ｂの信頼性向上を図ることができる。
【００２３】
なお、上記第１の実施例、第２の実施例では、保護用ケースにおいて１個の第２の溝用部材を設ける構成としたが、本発明はこれに限定されず、複数個の第２の溝用部材を設ける構成としてもよい。また、第２の溝用部材は、１個の溝用部材中に複数本の第２の溝が形成された構成であってもよい。さらに、第２の溝用部材は、複数の溝用部材が長さ方向に連結された構成であってもよい。
【図面の簡単な説明】
【００２４】
【図１】本発明の第１の実施例としての乾式変圧器装置の構成図である。
【図２】図１の乾式変圧器装置における保護用ケースの天井部の結合部及び第１の溝用部材の断面を示す図である。
【図３】図１の乾式変圧器装置における保護用ケースの第２の溝用部材の断面を示す図である。
【図４】図１の乾式変圧器装置における保護用ケースの天井部の結合部の他の構成例を示す図である。
【図５】本発明の第２の実施例としての乾式変圧器装置の構成図である。
【図６】図５の乾式変圧器装置における保護用ケースの天井部の結合部及び第１の溝用部材の断面を示す図である。
【図７】図５の乾式変圧器装置における保護用ケースの第２の溝用部材の断面を示す図である。
【図８】従来の乾式変圧器装置の構成例を示す図である。
【図９】図８の乾式変圧器装置における保護用ケースの天井部の結合部の構成を示す図である。
【符号の説明】
【００２５】
１Ａ、１Ｂ…乾式変圧器装置、
３０…変圧器本体、
３０１ａ、３０１ｂ、３０１ｃ…コイル部、
３０２…ヨーク部、
１０Ａ、１０Ｂ…保護用ケース、
１１Ａ、１１ａ、１１ｂ、１１ｃ、１１Ｂ、１１ａ１、１１ａ２、１１ｂ１、１１ｂ２、１１ｃ１、１１ｃ２…天井部材、
１２ａ、１２ｂ…側面部材、
２１ａ１、２１ｂ１、２１ｃ１、２１ｄ１、２１ａ２、２１ｂ２、２１ｃ２、２１ｄ２…第１の溝用部材、
２２、２３…第２の溝用部材、
１１１ａ１、１１１ｂ１、１１１ｃ１、１１１ｄ１、１１１ａ２、１１１ｂ２、１１１ｃ２、１１１ｄ２、１１１ｅ２、１１１ｆ２、１１２ａ１、１１２ｂ１、１１２ａ２、１１２ｂ２、１１３ａ１、１１３ｂ１、１１３ａ２、１１３ｂ２…結合部材、
２００ａ１、２００ｂ１、２００ａ２、２００ｂ２、２００ｃ２…合せ目、
５００ａ、５００ｂ、５００ｃ、５００ｄ、５００ｅ、５００ｆ、５００ｇ…ボルト、
５０１ｂ、５０１ｃ、５０１ｄ…ナット、
６００ａ、６００ｂ、６００ｃ、６００ｄ…シール用部材。
【図１】
0004839297.tif 000002
【図２】
0004839297.tif 000003
【図３】
0004839297.tif 000004
【図４】
0004839297.tif 000005
【図５】
0004839297.tif 000006
【図６】
0004839297.tif 000007
【図７】
0004839297.tif 000008
【図８】
0004839297.tif 000009
【図９】
0004839297.tif 000010